(57)【要約】【課題】ディスクパッケージや説明書を紛失したような場合にも、適正かつ円滑に、そのディスクを用いたネットワークアクセスを行うことができる光ディスク装置を提供する。【解決手段】光ディスク装置は、ディスク１０に格納された情報からドメイン情報を検索するドメイン検索部２０２を備える。ドメイン検索部２０２によってドメイン情報が検索されたとき、ドメイン情報の存在を外部に提示するタイミングが出力タイミング判定部２０３によって判定される。そして、所定のタイミングに達すると、画面生成部２０４によってドメイン情報のユーザに存在を知らせるための画面が生成され、この画面が、出力装置１０７を解してモニタ上に表示される。【選択図】図３
2009199655.tif 000002
【特許請求の範囲】
【請求項１】
ディスクに格納された情報からドメイン情報を検索するドメイン検索部と、
前記ドメイン検索部によって前記ドメイン情報が検索されたとき前記ドメイン情報の存在を前記ディスクの再生過程の所定のタイミングで外部に提示するドメイン提示部と、
前記ドメイン情報に基づくアクセスの実行指令がユーザにより入力されたとき、前記ドメイン情報によって特定されるアドレスにネットワークを介してアクセスするアクセス制御部とを備える、
ことを特徴とする光ディスク装置。
【請求項２】
前記ドメイン提示部は、前記ドメイン情報により特定されるアドレスにアクセスするかを選択可能な画面を外部に表示する処理を含み、
前記アクセス制御部は、前記ドメイン提示部によって表示された前記画面に基づいて、前記アクセスを実行するための選択操作がユーザにより行われたとき、前記ドメイン情報によって特定されるアドレスにネットワークを介してアクセスする処理を含む、
ことを特徴とする光ディスク装置。
【請求項３】
請求項１または２において、
前記ドメイン提示部は、前記ディスクに記録された主コンテンツの再生が終了したタイミングにて前記ドメイン情報の存在を外部に提示する処理を実行する、
ことを特徴とする光ディスク装置。
【請求項４】
請求項１または２において、
前記ドメイン提示部は、前記ディスクに記録された主コンテンツの再生が開始する前のタイミングにて前記ドメイン情報の存在を外部に提示する処理を実行する、
ことを特徴とする光ディスク装置。
【発明の詳細な説明】
【技術分野】
【０００１】
本発明は、光ディスク装置に関し、特に、光ディスクに記録されたドメイン情報に基づいて、ネットワーク上のサーバ装置からコンテンツ情報を取得する際に用いて好適なものである。
【背景技術】
【０００２】
近年商品化が進められているＨＤＤＶＤ（High-Definition Digital Versatile Disc、以下「ＨＤ」という）やブルーレイディスクでは、ネットワークへの接続機能を備えたプレーヤが開発されている。この種のプレーヤでは、ディスクに記録されたコンテンツ情報のみならず、ネットワーク上に存在するサーバ装置から適宜取得したコンテンツ情報をも再生することができる。
【０００３】
ここで、サーバ装置へのアクセスは、プレーヤに予め装備されたネットワークアクセス機能を用いて行われる。すなわち、ユーザは、リモートコントローラ等を用いてプレーヤの機能メニュー群の中からネットワークアクセス機能を選択し、これを実行するための入力操作を行う。この入力操作に応じて、プレーヤは、ディスクに記録されたデータのフォルダ構造（ツリー構造）から、ドメイン情報（ＵＲＬ等のアクセス先アドレス）を記述したファイルを特定し、このファイルからアクセス先アドレスを読み取って、当該アドレスにアクセスする。ここで、フォルダ構造上のフォルダ名およびファイル名は、規格で定められている。こうして、ディスクに含められたアクセス先アドレスに対するアクセスが行われ、コンテンツ情報がサーバ装置からプレーヤに配信される。これにより、ディスクに格納されていない追加のコンテンツがプレーヤにおいて再生可能となる。
【０００４】
このように、ディスクとサーバ装置とを組み合わせることにより、新たなビジネスシーンを構築することができる。たとえば、ディスクに映画コンテンツを記録しておき、その続編に関する情報を、ディスク購入後、ネットワーク上のサーバ装置から取得できるよう、ディスクとサーバ装置とからなるシステムを構成する。こうすると、当該ディスクの付加価値を高めることができ、また、続編の購入を促進することができる。よって、ディスクを用いた新たなビジネスシーンを構築することができる。
【０００５】
なお、以下の特許文献１には、ネットワーク経由で取得した広告情報をコンピュータ画面上で見た顧客に対し所定の特典を与えるシステムが記載されている。
【特許文献１】特開２００１−１２５９５２号公報
【発明の開示】
【発明が解決しようとする課題】
【０００６】
上記構成の場合、そのディスクを用いてネットワークから追加のコンテンツを取得できるかは、通常、ディスクのパッケージにその旨を記述する方法や、そのことを記述した説明書をディスクに添付する方法をもってユーザに提示される。しかし、この提示方法では、ユーザがパッケージや説明書を紛失すると、追加のコンテンツの存在をユーザにおいて容易に知ることができなくなり、本来得られるサービスをユーザにおいて適正に得られなくなる惧れがある。
【０００７】
この場合、ユーザは、プレーヤのネットワークアクセス機能を起動することで、サーバ装置から追加のコンテンツを取得することができる。しかし、ネットワークアクセス機能の起動には、機能メニューの送り操作を繰り返すといった煩雑な操作が必要となるため、ユーザは、そのディスクにドメイン情報が含まれているかが分からない状態では、なかなか、ネットワークアクセス機能を起動し難い。また、ユーザにおいては、そもそもネットワークアクセス機能の起動方法を知らない等、ネットワークアクセス機能自体を起動できない場合もあり得る。こうなると、折角提供された追加のコンテンツがユーザにおいて取得できず、そのディスクによるアミューズメント性が適正に発揮されなくなってしまう。
【０００８】
他方、コンテンツ提供者側は、ディスクを用いたネットワーク機能が実行されることによって、映画コンテンツの続編をユーザにアナウンスし、これにより、続編の販売促進を狙う場合があり、あるいは、ディスクの発売後に、当該ディスクに収められた映画コンテンツを補足する追加のコンテンツをユーザに提示して、映画コンテンツの完成度ないしアミューズメント性を高めようとする場合もあり得る。しかし、これらの狙いは、ユーザにおいて適正にネットワークへのアクセスが行われることによって初めて成立するものであるため、コンテンツ提供者は、ユーザがそのディスクを用いてネットワークアクセスを適正かつ確実に行えるよう、何らかの措置を講じる必要がある。
【０００９】
本発明は、かかる点に鑑みてなされたものであり、ユーザがディスクパッケージや説明書を紛失したような場合にも、適正かつ円滑に、そのディスクを用いたネットワークアクセスを行うことができる光ディスク装置を提供することを目的とする。
【課題を解決するための手段】
【００１０】
本発明の第１の態様は、光ディスク装置において、ディスクに格納された情報からドメイン情報を検索するドメイン検索部と、前記ドメイン検索部によって前記ドメイン情報が検索されたとき前記ドメイン情報の存在を前記ディスクの再生過程の所定のタイミングで外部に提示するドメイン提示部と、前記ドメイン情報に基づくアクセスの実行指令がユーザにより入力されたとき、前記ドメイン情報によって特定されるアドレスにネットワークを介してアクセスするアクセス制御部とを備えることを特徴とする。
【００１１】
本発明の第２の態様は、上記第１の態様に係る光ディスク装置において、前記ドメイン提示部は、前記ドメイン情報により特定されるアドレスにアクセスするかを選択可能な画面を外部に表示する処理を含み、前記アクセス制御部は、前記ドメイン提示部によって表示された前記画面に基づいて、前記アクセスを実行するための選択操作がユーザにより行われたとき、前記ドメイン情報によって特定されるアドレスにネットワークを介してアクセスする処理を含むことを特徴とする。
【００１２】
本発明の第３の態様は、上記第１または第２の態様に係る光ディスク装置において、前記ドメイン提示部は、前記ディスクに記録された主コンテンツの再生が終了したタイミングにて前記ドメイン情報の存在を外部に提示する処理を実行することを特徴とする。
【００１３】
本発明の第４の態様は、上記第１または第２の態様に係る光ディスク装置において、前記ドメイン提示部は、前記ディスクに記録された主コンテンツの再生が開始する前のタイミングにて前記ドメイン情報の存在を外部に提示する処理を実行することを特徴とする。
【発明の効果】
【００１４】
本発明の第１の態様によれば、そのディスクにドメイン情報が存在することがディスク再生過程の所定のタイミングにて外部に提示されるため、ユーザは、ディスクパッケージや説明書を紛失したような場合にも、適正かつ円滑に、そのディスクにドメイン情報が存在し、ネットワーク経由でサーバ装置から追加コンテンツを取得できることを知ることができる。
【００１５】
本発明の第２の態様によれば、ドメイン情報により特定されるアドレスにアクセスするかを選択可能な画面が外部に表示されるため、ユーザは、この画面に従って所定の操作を行うだけで、追加コンテンツを取得することができる。したがって、この態様によれば、追加コンテンツの取得時に、機能メニューの送り操作を繰り返してネットワークアクセス機能を実行するといった煩雑な操作を回避でき、ユーザの利便性を高めることができる。
【００１６】
本発明の第３および第４の態様によれば、ディスクに収められた主コンテンツを再生している途中においてはドメイン情報の提示がなされないため、主コンテンツの再生がドメイン情報の提示によって邪魔されることがなく、よって、本来、主として再生されるべき主コンテンツの再生を適正に行いながら、ドメイン情報の提示を円滑に行うことができる。
【００１７】
特に、第３の態様によれば、ディスクに収められた主コンテンツの再生が終了したタイミングで、ドメイン情報の存在が外部に提示されるため、ドメイン情報をもとに取得される追加コンテンツが、ディスクに収められた主コンテンツに関連するものであるような場合に、最も効果的なタイミングにて、ユーザに、追加コンテンツを提供することができる。たとえば、ディスクに主コンテンツとして映画コンテンツが収められ、サーバ装置から提供される追加コンテンツが、当該映画の続編を紹介する追加コンテンツや映画の裏事情を紹介する追加コンテンツ等であるような場合、映画を見た直後の未だ余韻が残るタイミングにおいて、ユーザに、その続編の紹介やその映画の裏事情が提示される。よって、ユーザにおいて、続編に対する興味が効果的に高められ、あるいは、映画の内容におけるアミューズメント性が効果的に高められ得る。
【００１８】
また、第４の態様によれば、ディスクに記録された主コンテンツの再生が開始する前のタイミングにて、ドメイン情報の存在が外部に提示されるため、ユーザは、ドメイン情報の存在を確実に知ることができる。たとえば、ディスク装着後、メニュー画面が表示される前に、ドメイン情報の存在が提示されると、ドメイン情報が必ずユーザに提示されるため、ユーザは、ドメイン情報の提示を見落とすことがない。
【００１９】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【発明を実施するための最良の形態】
【００２０】
以下、本発明の実施の形態につき図面を参照して説明する。本実施の形態は、再生専用ＨＤを再生可能な光ディスク装置に本発明を適用したものである。
【００２１】
まず、図１に、ディスク１０のエリアフォーマットを示す。ディスク１０は、内周から順に、クランプ領域１１、バーストカッティング領域（ＢＣＡ）１２、システムリードイン領域１３、データリードイン領域１４、データ領域１５、データリードアウト領域１６にエリア分割されている。
【００２２】
ＢＣＡ１２には、ＨＤ規格に従う形態にて、所定の情報が記録されている。具体的には、平坦な記録層をディスク円周方向に沿って間欠的に消失させることにより、ＢＣＡ＿ＩＤや、当該ディスクが準拠する規格書のブック番号等の情報が記録されている。また、ＢＣＡ１２には、ディスクの種類も記録されており、この情報をもとに、プレーヤ１００において、ブック番号と合わせてディスクの種類が特定され得る。また、コンテンツ保護の有無や、コンテンツ保護情報の一部もＢＣＡ１２に記録される。なお、記録層の消失は、高パワーレーザを用いて記録層を焼き切る方法等によって行われる。
【００２３】
ＢＣＡ１２上にビームスポットを位置づけると、その反射光には、記録層の消失部分と非消失部分に応じて、明暗が生じる。この明暗の変化を復調することにより、ＢＣＡ１２に記録された情報が再生される。
【００２４】
システムリードイン領域１３には、記録層上に螺旋状にピット列を配列することにより、当該ディスクの物理パラメータ（ピットサイズ、トラックピッチ、等）に関する情報やコンテンツ保護情報の一部等が記録されている。データリードイン領域１４にも、螺旋状にピット列が形成されており、このピット列によってコンテンツ保護情報が記録され、ユーザが自由にアクセスすることはできない。データ領域１５にも、螺旋状にピット列が形成されている。このピット列によって、コンテンツ情報が記録されている。
【００２５】
ここで、コンテンツ情報は、フォルダ構造（ツリー構造）により構成されている。このフォルダ構造によって、ディスク１０に収容されたコンテンツ情報が、ネットワーク接続を用いない通常のコンテンツと、ネットワーク接続が可能なアドバンストコンテンツの何れかに区分される。アドバンストコンテンツの場合、映画情報等の主コンテンツの入っているフォルダ以外に、ＡＰＩフォルダが作製されており、このＡＰＩフォルダ中にＥｖｅｎｔフォルダが含まれている。そして、このＥｖｅｎｔフォルダ内に、ネットワーク接続に関する設定があるか否かをＢｉｔで設定したファイルが含まれている。プレーヤ（光ディスク装置）は、このファイルを参照することにより、当該ディスク１０を用いたネットワーク接続が可能かを判別することができる。
【００２６】
さらに、コンテンツ情報がアドバンスドコンテンツである場合、フォルダ構造（ツリー構造）の所定の位置に、ドメイン情報（ＵＲＬ等のアクセス先アドレス）を記述したファイルが作成されている。プレーヤ（光ディスク装置）は、このファイルにドメイン情報が記述されているかを参照することにより、当該ディスク１０を用いたネットワーク接続が可能かを判別することができる。
【００２７】
フォルダ構造（ツリー構造）中のフォルダ名およびファイル名は、ＨＤ規格によって規定されている。よって、プレーヤ（光ディスク装置）は、アドバンスドコンテンツのフォルダ構造（ツリー構造）を辿ることにより、ネットワーク接続に関する設定があるか否かをＢｉｔで設定したファイル、あるいは、ドメイン情報（ＵＲＬ等のアクセス先アドレス）を記述したファイルを特定することができる。そして、その内容を参照することにより、当該ディスク１０を用いたネットワーク接続が可能かを判別することができる。
【００２８】
図１に戻り、データリードアウト領域１６には、データ領域１５と同様、螺旋状にピット列が形成されている。この領域は、ドライブ装置が暴走するのを防ぐ目的で設けられており、この領域がデータリードアウト領域であることを示す情報が記録されている。尚、本実施の形態にて用いられるディスク１０の物理パラメータは表１のとおりである。
【００２９】
【表１】
2009199655.tif 000003
【００３０】
図２は、光ディスク装置１００の構成を示す図である。図示の如く、光ディスク装置１００は、ＲＯＭ（Read Only Memory）１０１と、ＣＰＵ（Central Processing Unit）１０２と、メモリ１０３と、光ディスクドライブ１０４と、通信装置１０５と、入力装置１０６と、出力装置１０７を備えている。
【００３１】
ＲＯＭ１０１には、光ディスク装置１００の基本的な動作を制御するメインプログラムが格納されている。ＣＰＵ１０２は、ＲＯＭ１０１に格納されたメインプログラムに従って各部を制御し、また、メモリ１０３にダウンロードされたアプリケーションプログラムに従って各部を制御する。
【００３２】
メモリ１０３には、光ディスク１０や通信装置１０５を介して取得されたアプリケーションプログラムやコンテンツ情報等がダウンロードされる。光ディスクドライブ１０４は、ディスク１０を再生するための構成を備え、ＣＰＵ１０２からの指令に応じて、装着されたディスク１０を再生する。通信装置１０５は、外部ネットワーク（インターネット）に接続するための構成を備え、ＣＰＵ１０２からの指令に応じて、外部ネットワークに接続し、ネットワーク上にあるサーバ装置から所定の情報を取得する。
【００３３】
入力装置１０６は、入力キーを備えるとともに、リモートコントローラ等の外部入力手段からの信号を受け取るためのインタフェースを備え、これらを介してユーザから入力された指令を、ＣＰＵ１０２に出力する。出力装置１０７は、モニタやスピーカに信号を出力するためのインタフェースを備え、ＣＰＵ１０２からの指示に応じて、アプリケーションプログラムやコンテンツ情報の再生結果をモニタやスピーカに出力する。
【００３４】
図３は、ＲＯＭ１０１に格納されたメインプログラムによる機能を機能ブロックとして示す図である。なお、同図には、ディスク１０を用いてサーバ装置からコンテンツ情報を取得する際の処理に関連する機能ブロックのみが図示されている。
【００３５】
メインプログラムによる機能ブロックは、ディスク再生制御部２０１と、ドメイン検索部２０２と、出力タイミング判定部２０３と、画面生成部２０４と、入力判定部２０５と、アクセス制御部２０６と、コンテンツ再生部２０７を含んでいる。
【００３６】
ディスク再生制御部２０１は、光ディスクドライブ１０を制御して光ディスク１０を再生するとともに、再生した各種データを対応する機能ブロック（ドメイン検索部２０２、出力タイミング判定部２０３または画面生成部２０４）に供給する。
【００３７】
ドメイン検索部２０２は、上記アドバンストコンテンツのフォルダ構造（ツリー構造）から、ネットワーク接続に関する設定があるか否かをＢｉｔで設定したファイル、あるいは、ドメイン情報（ＵＲＬ等のアクセス先アドレス）を記述したファイルを取得するよう、ディスク再生制御部２０１に指示するとともに、この指示に応じてディスク再生制御部２０１から供給されたファイルを参照して、当該ディスク１０にドメイン情報が含まれているかを判別する。そして、その判別結果を、出力タイミング判定部２０３、画面生成部２０４およびアクセス制御部２０６に供給する。さらに、ドメイン検索部２０２は、ドメイン情報（ＵＲＬ等のアクセス先アドレス）を記述したファイルからドメイン情報を取得してアクセス制御部２０６に供給する。
【００３８】
出力タイミング判定部２０３は、当該ディスク１０にドメイン情報が含まれていることを示す判別結果がドメイン検索部２０２から供給されたとき、ディスク再生制御部２０１に対し、たとえば、当該ディスク１０に収められている主コンテンツ（たとえば、映画コンテンツ）の再生が全て終了したタイミングで、当該再生の終了を示す信号を供給するよう指示する。そして、この信号が供給されたタイミングで、画面生成部２０４とアクセス制御部２０６にタイミング信号を供給する。
【００３９】
画面生成部２０４は、主コンテンツの再生時には、ディスク再生制御部２０１から供給された主コンテンツの再生データをもとに、映像データおよび音声データを生成し、これを出力装置１０７に供給する。また、画面生成部２０４は、当該ディスク１０にドメイン情報が含まれていることを示す判別結果がドメイン検索部２０２から供給されたとき、出力タイミング判定部２０３から上記タイミング信号が供給されたタイミングで、たとえば、図５（ａ）に示す画面を出力するための映像データを出力装置１０７に供給する。なお、図５（ａ）の画面には、追加コンテンツをサーバ装置から取得できることを示すメッセージＭ１が含まれ、さらに、追加コンテンツをサーバ装置から取得するかをユーザに問い合わせるメッセージＭ２と、これに対するユーザからの入力ボタンＡ１、Ａ２が含まれている。
【００４０】
さらに、画面生成部２０４は、後述の如くネットワーク経由でサーバ装置から取得した追加コンテンツをコンテンツ再生部２０７にて再生した再生結果を出力するための映像データを出力装置１０７に供給する。この場合、モニタ上には、たとえば、図５（ｂ）に示すような画面が表示される。この画面フォーマットでは、領域Ｐに追加コンテンツの内容が表示される。入力ボタンＡ３は、追加コンテンツの表示をスキップする際のスキップボタンである。
【００４１】
入力判定部２０５は、入力装置１０６からの信号をもとに、ユーザによる入力指令を判定し、判定結果を対応する機能ブロックに供給する。たとえば、図５（ａ）において、ユーザにより入力ボタンＡ１が操作されると、入力判定部２０５は、ユーザより追加コンテンツをサーバ装置から取得するための指令が入力されたと判定し、判定結果をアクセス制御部２０６と画面生成部２０４に供給する。また、ユーザにより入力ボタンＡ２が操作されると、入力判定部２０５は、ユーザより追加コンテンツをサーバ装置から取得しない旨の指令が入力されたと判定し、判定結果をアクセス制御部２０６と画面生成部２０４に供給する。
【００４２】
アクセス制御部２０６は、出力タイミング判定部２０３からタイミング信号が入力され、さらに、入力判定部２０５から、追加コンテンツの取得指令が入力されたことを示す信号が入力されると、ドメイン検索部２０２から供給されたドメイン情報をもとに、ネットワーク上のサーバ装置にアクセスするためのアクセス制御を実行する。これにより、通信装置１０５は、ネットワーク上のサーバ装置にアクセスし、サーバ装置から追加コンテンツを取得する。取得された追加コンテンツはコンテンツ再生部２０７に供給される。
【００４３】
コンテンツ再生部２０７は、取得した追加コンテンツをそのファイル形式に応じて再生し、再生結果を画面生成部２０４に供給する。これを受けて、画面生成部２０４は、図５（ｂ）に示す画面フォーマットの映像データを生成し、これを出力装置１０７に供給する。
【００４４】
図４は、ディスク１０を光ディスク装置１００にて再生する際の処理フローを示す図である。
【００４５】
ディスク１０が装着されると（Ｓ１０１：ＹＥＳ）、ディスク再生制御部２１０によってシステムリードイン情報が読み出されて、メモリ１０３に格納される（Ｓ１０２）。その後、上記の如くドメイン検索部２０２によってフォルダ構造（ツリー構造）が追跡され、当該ディスク１０にドメイン情報が含まれているかが判別される（Ｓ１０３）。しかる後、画面生成部２０４によって当該ディスク１０を再生するためのメニュー画面（初期画面）がディスク１０内のデータをもとに生成され、生成されたメニュー画面が出力装置１０７を介してモニタ上に表示される（Ｓ１０４）。
【００４６】
しかる後、リモコン等でメニュー画面を操作することによって、ユーザから主コンテンツ（映画コンテンツ、等）の再生指令が入力されると（Ｓ１０５：ＹＥＳ）、ディスク再生制御部２０１により主コンテンツの再生が行われ、モニタとスピーカから主コンテンツの映像と音声が出力される（Ｓ１０６）。その後、主コンテンツの再生が終了すると（Ｓ１０７：ＹＥＳ）、当該ディスク１０にドメイン情報が存在するか否か（Ｓ１０８）によって、フロー処理が分岐される。
【００４７】
すなわち、Ｓ１０３おいて、当該ディスク１０にはドメイン情報が含まれていないとドメイン検索部２０２が判定すると（Ｓ１０８：ＮＯ）、画面生成部２０４は、再び、当該ディスク１０を再生するためのメニュー画面（初期画面）を生成し、生成したメニュー画面を、出力装置１０７を介してモニタ上に表示させる（Ｓ１０４）。
【００４８】
一方、Ｓ１０３おいて、ドメイン検索部２０２が、当該ディスク１０にドメイン情報が含まれていると判定すると（Ｓ１０８：ＹＥＳ）、主コンテンツの再生終了に応じて、出力タイミング判定部２０３から画面生成部２０４にタイミング信号が供給され、画面生成部２０４により、ネットワークへの接続を選択可能とさせるために、図５（ａ）に示す画面が生成される。そして、生成された画面が、出力装置１０７を介してモニタ上に表示される（Ｓ１０９）。
【００４９】
図５（ａ）に示す画面において、入力ボタンＡ２がユーザにより操作されると（Ｓ１１０：ＮＯ）、画面生成部２０４は、再び、当該ディスク１０を再生するためのメニュー画面（初期画面）を生成し、生成したメニュー画面を、出力装置１０７を介してモニタ上に表示させる（Ｓ１０４）。他方、図５（ａ）に示す画面において、入力ボタンＡ１がユーザにより操作されると（Ｓ１１０：ＹＥＳ）、アクセス制御部２０６は、ドメイン検索部２０２によって検索されたドメイン情報をもとにアクセス制御を実行する。これにより、通信装置１０５を介して対応するサーバ装置にアクセスが行われ、当該サーバ装置から追加コンテンツが取得される（Ｓ１１１）。
【００５０】
こうしてサーバ装置から取得された追加コンテンツは、コンテンツ再生部２０７によって再生され、画面生成部２０４に供給される（Ｓ１１２）。これにより、画面生成部２０４は、図５（ｂ）に示す画面フォーマットの領域Ｐに追加コンテンツの内容を当てはめた画面を構成し、構成した画面を、出力装置１０７を介してモニタ上に表示させる。追加コンテンツの再生表示は、追加コンテンツの再生が全て終了するか（Ｓ１１３：ＹＥＳ）、図５（ｂ）の画面において入力ボタンＡ３が操作される（Ｓ１１４：ＹＥＳ）まで行われる。そして、追加コンテンツの再生が全て終了し（Ｓ１１３：ＹＥＳ）、あるいは、入力ボタンＡ３が操作されると（Ｓ１１４：ＹＥＳ）、画面生成部２０４は、再び、当該ディスク１０を再生するためのメニュー画面（初期画面）を生成し、生成したメニュー画面を、出力装置１０７を介してモニタ上に表示させる（Ｓ１０４）。
【００５１】
以上、本実施の形態によれば、ディスク１０にドメイン情報が存在することが、当該ディスク１０の再生に伴って外部に提示されるため、ユーザは、ディスクパッケージや説明書を紛失したような場合にも、適正かつ円滑に、当該ディスク１０にドメイン情報が存在し、ネットワーク経由でサーバ装置から追加コンテンツを取得できることを知ることができる。
【００５２】
また、本実施の形態によれば、ドメイン情報により特定されるアドレスにアクセスするかを選択可能な画面（たとえば、図５（ａ）参照）が外部に表示されるため、ユーザは、この画面に従って所定の操作を行う（たとえば、入力ボタンＡ１を操作する）だけで、追加コンテンツを取得することができる。したがって、本実施の形態によれば、追加コンテンツの取得時に、機能メニューの送り操作を繰り返してネットワークアクセス機能を実行するといった煩雑な操作を回避でき、ユーザの利便性を高めることができる。
【００５３】
さらに、本実施の形態によれば、ディスク１０に収められた主コンテンツの再生途中においては、ドメイン情報の提示がなされないため、主コンテンツの再生がドメイン情報の提示によって邪魔されることがなく、よって、本来、主として再生されるべき主コンテンツの再生を適正に行うことができる。
【００５４】
特に、本実施の形態によれば、ディスク１０に収められた主コンテンツの再生が終了したタイミングで、ドメイン情報の存在が外部に提示されるため、ドメイン情報をもとに取得される追加コンテンツが、ディスク１０に収められた主コンテンツに関連するものであるような場合に、最も効果的なタイミングにて、ユーザに、追加コンテンツを提供することができる。たとえば、ディスク１０に映画コンテンツが収められ、サーバ装置から提供される追加コンテンツが、当該映画の続編を紹介する追加コンテンツや映画の裏事情を紹介する追加コンテンツ等であるような場合、本実施の形態によれば、映画を見た直後の未だ余韻が残るタイミングにおいて、ユーザに、その続編の紹介やその映画の裏事情が提示される。よって、ユーザにおいて、続編に対する興味が効果的に高められ、あるいは、映画の内容におけるアミューズメント性が効果的に高められ得る。なお、図５（ａ）の画面が表示されて一定期間経過した際には、入力ボタンＡ２をユーザが操作したとみなして、画面を切り替えるようにしても良い。
【００５５】
なお、本発明は、上記実施の形態によって何ら制限されるものではなく、また、本発明の実施形態も、上記以外に種々の変更が可能である。
【００５６】
たとえば、上記実施の形態では、主コンテンツの再生終了に応じて、ネットワーク接続用の画面（図５（ａ）参照）が表示されるようにしたが、主コンテンツの再生前に、ネットワーク接続用の画面を表示するようにしても良い。
【００５７】
図６は、この場合の処理フローチャートを示す図である。すなわち、この処理フローチャートでは、Ｓ１０３にてドメイン情報の検索が行われ、これにより、当該ディスク１０にドメイン情報が存在すると判定されると（Ｓ１０８：ＹＥＳ）、直ちに、図５（ａ）に示すネットワーク接続画面が表示される（Ｓ１０９）。その後、Ｓ１１０〜Ｓ１１４の処理は、図４の場合と同様である。
【００５８】
図５（ａ）の画面表示において、ユーザが入力ボタンＡ２を操作すると（Ｓ１１０：ＮＯ）、当該ディスク１０を再生するためのメニュー画面（初期画面）がモニタ上に表示され、主コンテンツの再生へと移行される（Ｓ１０４）。他方、図５（ａ）の画面表示において、ユーザが入力ボタンＡ１を操作すると（Ｓ１１０：ＹＥＳ）、追加コンテンツの再生表示が行われる（Ｓ１１１〜Ｓ１１４）。この場合も、図４の場合と同様、追加コンテンツの再生表示は、追加コンテンツの再生が全て終了するか（Ｓ１１３：ＹＥＳ）、図５（ｂ）の画面において入力ボタンＡ３が操作される（Ｓ１１４：ＹＥＳ）まで行われる。そして、追加コンテンツの再生が全て終了し（Ｓ１１３：ＹＥＳ）、あるいは、入力ボタンＡ３が操作されると（Ｓ１１４：ＹＥＳ）、当該ディスク１０を再生するためのメニュー画面（初期画面）がモニタ上に表示され、主コンテンツの再生へと移行される（Ｓ１０４）。
【００５９】
図６の処理フローによれば、ディスク１０に記録された主コンテンツの再生が開始される前のタイミングにおいて、ドメイン情報の存在が外部に提示されるため、ユーザは、ドメイン情報の存在を確実に知ることができる。すなわち、ディスク装着後、ディスク再生のためのメニュー画面（初期画面）が表示される前に、ドメイン情報の存在が提示されるため、ドメイン情報が必ずユーザに提示され、よって、ユーザは、ドメイン情報の提示を見落とすことなく確実に認識することができる。
【００６０】
なお、図６の処理フローによれば、たとえば、図５（ａ）の画面表示において入力ボタンＡ２を操作し、あるいは、図５（ｂ）の表示画面において入力ボタンＡ３を操作することにより、ユーザは、主コンテンツの再生へと移行できるため、先に主コンテンツを視聴したいような場合にも、迅速に、主コンテンツの再生へと移行させることができる。この場合にも、ユーザは、図５（ａ）の画面表示を必ず観ることとなるため、追加のコンテンツを取得可能であることを確実に知ることができ、たとえば、主コンテンツの再生後等に、追加コンテンツへの再生へと円滑に移行することができる。
【００６１】
図４の処理フローでは、主コンテンツの再生終了時にネットワーク接続用の画面が表示され、図６の処理フローでは、主コンテンツの再生開始前にネットワーク接続用の画面が表示されたが、たとえば、主コンテンツの再生画像にネットワークから追加コンテンツを取得できることのメッセージを重ね表示し、これにより、ユーザに、追加コンテンツを取得できることを知らしめるようにしても良い。ただし、この場合には、主コンテンツの再生画像にメッセージが重ね表示されるため、このメッセージによって主コンテンツの再生画像が邪魔され、主コンテンツの視聴に支障が生じる惧れがある。この場合、ユーザがネットワーク接続の操作を行う必要がある。よって、これを避けるためには、上記のように、主コンテンツの再生終了時または再生開始前に、ネットワーク接続用の画面を表示するのが望ましい。また、繰り返し主コンテンツを再生する場合などを想定して、ドメイン情報の存在を表示するのは、ディスク挿入後に一回のみとするのが望ましい。こうすると、ユーザが主コンテンツを繰り返し再生する度にスキップ操作を行う必要がなくなる。
【００６２】
この他、上記実施の形態では、ディスク１０としてＨＤを用いたが、ブルーレイディスク等の他の媒体を用いても良く、また、ディスク１０に複数層の記録層が含まれていても良い。
【００６３】
本発明の実施の形態は、特許請求の範囲に示された技術的思想の範囲内において、適宜、種々の変更が可能である。
【図面の簡単な説明】
【００６４】
【図１】実施の形態に係る光ディスクのエリアフォーマットを示す図
【図２】実施の形態に係る光ディスク装置の構成を示す図
【図３】実施の形態に係る光ディスク装置の機能ブロックを示す図
【図４】実施の形態に係る光ディスク装置の処理フローを示す図
【図５】実施の形態に係る光ディスク装置の画面表示例を示す図
【図６】実施の形態に係る光ディスク装置の他の処理フローを示す図
【符号の説明】
【００６５】
１０  ディスク
１０１  ＲＯＭ
１０２  ＣＰＵ
１０４  光ディスクドライブ
１０５  通信装置
１０６  入力装置
１０７  出力装置
２０１  ディスク再生制御部
２０２  ドメイン検索部
２０３  出力タイミング判定部
２０４  画面生成部
２０５  入力判定部
２０６  アクセス制御部
【図１】
2009199655.tif 000004
【図２】
2009199655.tif 000005
【図３】
2009199655.tif 000006
【図４】
2009199655.tif 000007
【図５】
2009199655.tif 000008
【図６】
2009199655.tif 000009